(57)【要約】【課題】アクセサリ収容室に収容したアクセサリに対して、該アクセサリの電極とのチャタリング等による接触不良を防止することができる接触片を有する電子機器を提供する。【解決手段】接点が二つの外形面に設けられたアクセサリ２５を用いる電子機器であって、上記アクセサリ２５の上記二つの外形面の一方の外形面２５ａに設けられた接点２４ａに接触する第１の接触部１４ａと上記二つの外形面の他方の外形面２５ｂに設けられた接点２４ｂに接触する第２の接触部１４ｂとが一体的に設けられた接触片１４を有することを特徴とする。【選択図】  図３
2005043578.tif 000002
【特許請求の範囲】
【請求項１】
接点が二つの外形面に設けられたアクセサリを用いる電子機器であって、
上記アクセサリの上記二つの外形面の一方の外形面に設けられた接点に接触する第１の接触部と上記二つの外形面の他方の外形面に設けられた接点に接触する第２の接触部とが一体的に設けられた接触片を有することを特徴とする電子機器。
【請求項２】
上記接触片の上記第１の接触部と上記第２の接触部は、互いに略直交する方向に変位可能なことを特徴とする請求項１に記載の電子機器。
【請求項３】
上記第１の接触部は、上記アクセサリの挿抜方向に変位可能であり、上記第２の接触部は、上記アクセサリの挿抜方向に対し略直交する方向に変位可能であることを特徴とする請求項１または２に記載の電子機器。
【請求項４】
上記第１の接触部は、上記アクセサリの挿抜方向の該アクセサリを排出する方向に同アクセサリを付勢することを特徴とする請求項１に記載の電子機器。
【請求項５】
アクセサリの二つの外形面に設けられた接点に接触する接触片を有する電子機器であって、
上記アクセサリの上記二つの外形面の一方の外形面に設けられた接点に接触する第１の接触片と上記二つの外形面の他方の外形面に設けられた接点に接触する第２の接触片とが設けられたことを特徴とする電子機器。
【請求項６】
上記第１の接触片と上記第２の接触片は、互いに略直交する方向に変位することを特徴とする請求項５に記載の電子機器。
【請求項７】
上記第１の接触片は、上記アクセサリの挿抜方向に変位可能であり、上記第２の接触片は、上記アクセサリの挿抜方向に対し略直交する方向に変位可能であることを特徴とする請求項５または６に記載の電子機器。
【請求項８】
上記第１の接触片と上記第２の接触片は、一体的に形成されていることを特徴とする請求項５乃至７のいずれかに記載の電子機器。
【請求項９】
上記第１の接触片は、上記アクセサリの挿抜方向の該アクセサリを排出する方向に同アクセサリを付勢することを特徴とする請求項８に記載の電子機器。
【発明の詳細な説明】
【０００１】
【発明の属する技術分野】
本発明は、電子機器、詳しくは、電池やメモリカード等のアクセサリを収容するアクセサリ収容室にアクセサリとの接触電気接片（接触片）を有する電子機器に関する。
【０００２】
【従来の技術】
近年、被写体像をＣＣＤ等の固体撮像素子を用いて撮像して光電変換し、該固体撮像素子から出力される画像データをデジタル信号に変換して各種処理を行った後、カメラ内に備えられた固定式または着脱式の記憶素子（メディア）にデジタル画像データとして記憶する電子機器、所謂デジタルカメラが周知である。
【０００３】
また、このようなデジタルカメラにおいては、該デジタルカメラの筐体内に配設された、例えば電池等のアクセサリを収容するアクセサリ収容室に該アクセサリの電極と接触するための接触電気接片が配置されており、この接触電気接片がアクセサリ収容室に収納されたアクセサリの電極に接触することで、同アクセサリの電力をデジタルカメラに供給するようになっている。
【０００４】
このようなアクセサリとの接触接片を有する電子機器は、例えば特許文献１に開示されており、リチャージブル電池の外形面の一方と他方に形成された電極（正極及び負極）に、電池収容室内及び収容室蓋にそれぞれ設けられた接触接片が接触することにより、同電池の電力を電子機器に供給するようになっている。
【０００５】
【特許文献１】
特開平１１−１８３９８４号公報
【０００６】
【発明が解決しようとする課題】
ところで、撮像された画像データをメディアに記録中等に、デジタルカメラ本体を机の上に乱暴に置くこと等によって、デジタルカメラの高さ方向に振動が発生すると、接触接片がアクセサリの電極に対してチャタリングを発生してしまい、メディアに正しく画像データが記録されず、画像データが失われてしまう虞がある。このことは上記特許文献１では、何ら考慮がなされていない。
【０００７】
本発明は、上記問題点に鑑みてなされたものであり、その目的は、アクセサリ収容室に収容したアクセサリに対して、該アクセサリの電極とのチャタリングリング等による接触不良を防止することができるアクセサリとの接触電気接片を有する電子機器を提供するにある。
【０００８】
【課題を解決するための手段、及び作用】
上記の目的を達成するために本発明によるアクセサリとの接触片を有する電子機器は、接点が二つの外形面に設けられたアクセサリを用いる電子機器であって、上記アクセサリの上記二つの外形面の一方の外形面に設けられた接点に接触する第１の接触部と上記二つの外形面の他方の外形面に設けられた接点に接触する第２の接触部とが一体的に設けられた接触片を有することを特徴とし、また、上記接触片の上記第１の接触部と上記第２の接触部は、互いに略直交する方向に変位可能なことを特徴とし、さらに、上記第１の接触部は、上記アクセサリの挿抜方向に変位可能であり、上記第２の接触部は、上記アクセサリの挿抜方向に対し略直交する方向に変位可能であることを特徴とし、また、上記第１の接触部は、上記アクセサリの挿抜方向の該アクセサリを排出する方向に同アクセサリを付勢することを特徴とする。
【０００９】
また、本発明によるアクセサリとの接触片を有する電子機器は、アクセサリの二つの外形面に設けられた接点に接触する接触片を有する電子機器であって、
上記アクセサリの上記二つの外形面の一方の外形面に設けられた接点に接触する第１の接触片と上記二つの外形面の他方の外形面に設けられた接点に接触する第２の接触片とが設けられたことを特徴とし、また、上記第１の接触片と上記第２の接触片は、互いに略直交する方向に変位することを特徴とし、さらに、上記第１の接触片は、上記アクセサリの挿抜方向に変位可能であり、上記第２の接触片は、上記アクセサリの挿抜方向に対し略直交する方向に変位可能であることを特徴とし、また、上記第１の接触片と上記第２の接触片は、一体的に形成されていることを特徴とし、さらに、上記第１の接触片は、上記アクセサリの挿抜方向の該アクセサリを排出する方向に同アクセサリを付勢することを特徴とする。
【００１０】
【発明の実施の形態】
以下、図示の実施の形態によって本発明を説明する。尚、本実施の形態においては電子機器はデジタル一眼レフカメラを、アクセサリはリチャージブル電池（電池パック）を例に挙げて説明する。また、カメラの高さ方向を電池の挿抜方向と規定する。
【００１１】
図１は、本発明の第１の実施形態を示したものであって、リチャージブル電池との接触片を有するデジタル一眼レフカメラの本体及び同本体に挿抜可能なリチャージブル電池を前方右斜め下方からみた斜視図である。
【００１２】
図１に示すように、デジタル一眼レフカメラ６０の本体（以下、カメラ本体と称す）１の前面略中央部には、交換レンズを装着するためのマウント取付部７が前方に突出して形成されており、該マウント取付部７の前面７ａには、マウント面２ａを有する円環状のマウント部２が、ビス３により固定されている。
【００１３】
そして、マウント取付部７の一側方であって、カメラ本体１の左端部（図１において）には、撮影の際に撮影者がカメラ本体１を支持するためのグリップ部４が形成されており、該グリップ部４の内部には、該グリップ部４の底面に電池挿抜用開口部１０Ａを有し、後述するリチャージブル電池（以下、電池と称す）２５が収容される電池収容室１０が形成されている。さらに、グリップ部４の開口部１０Ａの周縁部の一側には、同開口部１０Ａを封止する電池蓋１１が開閉自在に取り付けられている。
【００１４】
上記電池２５は、直方体形状を有しており、例えば一方の外形面（外形表面）である上面２５ａには、電池挿抜方向に略直交する方向に沿って、負極２１ａ，サーミスタ用電極２２ａ，正極２３ａがそれぞれ並設されており、また、例えば他方の外形面（外形表面）である一側面２５ｂには、電池挿抜方向に沿って、負極２１ｂ、サーミスタ用電極２２ｂ、正極２３ｂがそれぞれ並設されている。さらに、その他の外形面の一つの面２５ｃには、電池の挿抜方向の挿入側の縁部から電池挿抜方向に沿って、断面形状が半円状の充電器差し込み用凹部２７が形成されている。
【００１５】
上記負極（接点）２１ａ，２１ｂ、サーミスタ用電極（接点）２２ａ，２２ｂ、正極（接点）２３ａ，２３ｂは、それぞれ外形面２５ａと２５ｂの２面にまたがるＬ字状に形成されて負極２１，サーミスタ用電極２２，正極２３を構成しており、さらに、該負極２１，該サーミスタ用電極２２，該正極２３は、後述する３個の接触片１４（図２参照）にそれぞれ接触する電極（接点）２４を構成している。
【００１６】
尚、以降の説明では、簡略のため、一方の外形面２５ａの電池挿抜方向に略直交する方向に沿って形成された３つの電極（負極２１ａ，サーミスタ２２ａ，正極２３ａ）を電極（接点）２４ａで代表し、他方の外形面２５ｂの電池挿抜方向に沿って形成された電極（負極２１ｂ，サーミスタ２２ｂ，正極２３ｂ）を電極（接点）２４ｂで代表するものとする。
【００１７】
図２は、図１の電池収容室１０を抽出して示した断面図、図３は、図２の電池収容室１０に電池２５を収容した状態を示す断面図、図４は、電池２５の電極２４に接触片が接触している状態を示す図３の部分拡大斜視図である。
【００１８】
図２に示すように、電池収容室１０の天井面１０Ｂには、全体が短冊状の弾性板体で形成され、先端部が二股のフォーク状に形成された電気接片（以下、接触片と称す）１４の基端部１４Ｃがビス１９により固定されている。
【００１９】
接触片１４は、ビス１９を挿通するための取付用孔部１４ｃ（図４参照）が形成され、電池収容室１０の天井面１０Ｂと対向する取付面を有する基端部１４Ｃと、基端部１４Ｃの後端から上方に延出するように形成され、半田により図示しない基板から延出したリード線１３が取り付けられるリード線取付部１４Ｄと、基端部１４Ｃから前方に延出した胴部１４Ｅと、該胴部１４Ｅの前端からフォーク状に延出した第１のフォーク部１４Ａ及び第２のフォーク部１４Ｂで構成された先端部とによって、その主要部が構成されている。尚、基端部１４Ｃ、リード線取付部１４Ｄ、胴部１４Ｅ、第１のフォーク部１４Ａ及び第２のフォーク部１４Ｂは、ばね材である一枚の弾性板体から形成されている。
【００２０】
第１のフォーク部１４Ａの先端部には、電池２５の一方の外形面２５ａに形成された電極２４ａに接触する、円弧状に湾曲した第１の接触部１４ａが形成されており、また、第２のフォーク部１４Ｂの先端部には、電池２５の他方の外形面２５ｂに形成された電極２４ｂに接触する、円弧状に湾曲した第２の接触部１４ｂが形成されている。
【００２１】
第１のフォーク１４Ａは、電池２５の挿抜方向に電池２５を付勢するため、胴部１４Ｅの一端から分岐し、胴部１４Ｅと共に折り曲げの程度が大きいくの字の一部を形成し、第２のフォーク部１４Ｂは、電池２５の挿抜方向と略直交する方向に電池２５を付勢するため、胴部１４Ｅの同じく上記一端から分岐し、胴部１４Ｅと共に折り曲げの程度が小さいくの字の一部を形成している。よって、第１のフォーク部の第１の接触部１４ａと、第２のフォーク部の第２の接触部１４ｂは、互いに略直交する方向に変位可能であり、つまり第１の接触部１４ａは、電池の挿抜方向に変位可能であり、第２の接触部１４ｂは、電池の挿抜方向に対し直交する方向に変位可能である。
【００２２】
このように形成された接触片１４が天井面１０Ｂにビス１９で固定された電池収容室１０に、電池２５が挿入され、電池蓋１１が閉成された状態を、図３、図４に示す。接触片１４の第１の接触部１４ａは、電池２５の電極２４ａに接触し、電池の挿抜方向の電池排出方向α’に該電池２５を付勢する。
【００２３】
従来は、図５に示すように、電池２５０を電気接片１２０に接触させて電池収容室１００内に収容した際には、電池収容室１００の天井面に配設された押圧バネ１４０により、電池２５０の上面を電池の挿抜方向の電池排出方向に付勢するようにしていたが、本実施の形態では、接触片１４が押圧バネを兼用するため、該押圧バネを配設する必要が無い。
【００２４】
また、電池収容室１０に電池２５が挿入され、電池蓋１１が閉成されると、接触片１４の第２の接触部１４ｂは電池２５の電極２４ｂに接触する。これにより、図４に示すように、電池２５の電極２４は、２つの面の電極（２４ａ，２４ｂ）で、接触片１４の接触部（１４ａ，１４ｂ）と接触する。
【００２５】
このように、電池２５の電極２４ａを、接触片１４の第１の接触部１４ａに接触させ、第１のフォーク部１４Ａを電池の挿抜方向の挿入側αに付勢すると、接触片１４のフォーク部には、シーソの原理によって第２のフォーク部１４Ｂの第２の接触部１４ｂに、電池の挿抜方向と略直交する方向βに、電池２５を電池収容室１０の内側面に付勢する力が働く。
【００２６】
このことにより、接触片１４の第１の接触部１４ａが電池２５を電池の挿抜方向の電池排出方向に付勢する力が大きくなり、また、接触片１４の第２の接触部１４ｂが電池２５を電池の挿抜方向の略直交する方向に付勢する力が大きくなるため、第１の接触部１４ａと電極２４ａ、第２の接触部１４ｂと電極２４ｂの接触圧が増える。よって、電池の挿抜方向の振動に対しては、チャタリングの発生を第１の接触部１４ａが防止し、電池の挿抜方向に対し略直交する方向の振動に対しては、チャタリングの発生を第２の接触部１４ｂが防止する。
【００２７】
上述したように、本発明の第１の実施形態では、電池２５をカメラ本体に形成された電池収容室１０に収容した際、電池２５の一方の外形面２５ａに設けられた電極２４ａと接触する第１の接触部１４ａ、及び電池２５の他方の外形面２５ｂに設けられた電極２４ｂと接触する第２の接触部１４ｂを有する接触片１４を電池収容室１０内に配設し、接触片１４を電池２５の２つの電極２４ａ，２４ｂに接触するようにした。
【００２８】
よって、例えば、撮像された画像データをメディアに記録中に、デジタルカメラ本体を机の上に乱暴に置く等して、デジタルカメラの高さ方向及び横方向に振動が発生したとしても、電池２５は、接触片１４により電池の挿抜方向、及び電池の挿抜方向に対し直交する方向に付勢されていることにより、接触片が電池の電極を摺動しても、接触片が電極から離間せず、振動によるチャタリングの発生を抑制することができる。
【００２９】
また、接触片１４の第１の接触部１４ａが電池２５を電池の挿抜方向の電池排出方向に付勢しているため、電池収容室１０内に押圧バネを配設する必要がない。さらに、接触片１４の第２の接触部１４ｂが電池の挿抜方向の略直交する方向に電池２５を付勢しているので、第１の接触部１４ａと電極２４ａ、第２の接触部１４ｂと電極２４ｂの接触圧が増え、電池２５を電池収容室１０内に、確実に固定することができる。
【００３０】
尚、本実施の形態においては、電極２４を形成する電池２５の一方の外形面を２５ａ、他方の外形面を２５ｂとしたが、これに限らず、隣り合う面であれば、電極２４を電池２５のどの面に形成しても良い。この場合、接触片１４は、電極２４が形成された位置に応じて、電池収容室１０内の電極２４と接触可能な位置に配設すれば良い。
【００３１】
また、簡略のため、一方の外形面２５ａの電池挿抜方向に略直交する方向に沿って形成された３つの電極（負極２１ａ，サーミスタ用電極２２ａ，正極２３ａ）を電極２４ａ、他方の外形面２５ｂの電池挿抜方向に沿って形成された電極（負極２１ｂ，サーミスタ用電極２２ｂ，正極２３ｂ）を電極２４ｂと称し、この電極２４ａ，２４ｂに、第１実施形態においては、接触片１４の第１の接触部１４ａ，第２の接触部１４ｂが接触するようにしたが、実際は、接触片１４は、電池収容室１０に３個、配設されており、３個の各第１の接触部１４ａは、それぞれ負極２１ａ，サーミスタ用電極２２ａ，正極２３ａと接触し、３個の各第２の接触部１４ｂは、それぞれ負極２１ｂ，サーミスタ用電極２２ｂ，正極２３ｂと接触している。
【００３２】
さらに、第１の接触部１４ａ，第２の接触部１４ｂは、フォーク部の先端部に円弧状に湾曲して形成したが、これに限らず、電極２４にそれぞれ接触、付勢でき、電極面を傷つけない形状であれば、どのような形状で、フォーク部のどのような位置に形成されていても構わない。
【００３３】
図６，図７は、本発明の第２の実施形態を示したものであって、図６は、リチャージブル電池との接触片を有するデジタル一眼レフカメラ本体の電池収容室を示した断面図、図７は、電池の電極に接触片が接触している状態を示す要部拡大斜視図である。
【００３４】
この第２の実施形態のリチャージブル電池との接触電気片を有するデジタル一眼レフカメラの構成は、前記図１乃至図４に示した第１実施形態のリチャージブル電池との接触電気接片を有するデジタル一眼レフカメラと殆ど同じであるが、本実施の形態では、第１の接触部１４ａと第２の接触部１４ｂは、接触片１４として一体に形成されていない点が異なる。よって、この相違点のみを説明し、第１実施形態と同様の構成には同じ符号を付し、その説明は省略する。
【００３５】
図６に示すように、デジタル一眼レフカメラ２００の電池収容室３０の、電池の挿抜方向と略直交する方向の内壁面には、後述する第１の接触片３４、及び第２の接触片３５が挿通する挿通孔３０Ｂが形成されている。
【００３６】
また、電池収容室３０の電池の挿抜方向と略直交する方向の内壁面の外側には、カメラ本体５０の図示しない内部に固定されている基板３７が配設されており、該基板３７には、電池収容室３０の挿通孔３０Ｂに挿通された第１の接触片３４と第２の接触片３５の基端部がそれぞれ固定されている。
【００３７】
第１の接触片３４は、円弧状に形成された先端部３４ａが図７に示すように電池２５の一方の外形面（上面）２５ａに沿って形成された電極２４ａに接触する全体が弾性板体で形成されている。
【００３８】
第２の接触片３５は、基板３７の接触片３４の基端部よりも電池の排出方向側に配設されていて、円弧状に形成された先端部３５ａが図７に示すように電池２５の他方の外形面の一つの面２５ｂに沿って形成された電極２４ｂに接触する全体が弾性板体で形成されている。よって、基板３７には、第１の接触片３４と、第２の接触片３５とが別個に固定されている。
【００３９】
第１の接触片３４の先端部３４ａと第２の接触片３５の先端部３５ａは、互いに略直交する方向に変位可能であり、つまり、第１の接触片３４の先端部３４ａは電池の挿抜方向に変位可能であり、第２の接触片３５の先端部３５ａは電池の挿抜方向に対し直交する方向に変位可能である。
【００４０】
このように挿通孔３０Ｂから第１の接触片３４、第２の接触片３５が挿通された電池収容室３０に電池２５が挿入され、電池蓋３１が閉成された状態が、図６に示す状態であり、第１の接触片３４の先端部３４ａは、電池２５の電極２４ａに接触し、電池の挿抜方向の電池を排出する方向に該電池２５を付勢する。よって、本実施の形態でも、第１の接触片３４が押圧バネを兼用するため、該押圧バネを電池収容室３０内に配設する必要が無い。
【００４１】
また、電池収容室３０に電池２５が挿入され、電池蓋３１が閉成されると、第２の接触片３５の先端部３５ａは、電池２５の電極２４ｂに接触する。これにより、図７に示すように、電池２５の電極２４は、２つの電極（２４ａ，２４ｂ）面に、それぞれ第１の接触片３４の先端部３４ａ、第２の接触片３５の先端部３５ａが接触する。
【００４２】
よって、電池の挿抜方向の振動に対しては、チャタリングの発生を第１の接触片３４の先端部３４ａが防止し、電池の挿抜方向に対し略直交する方向の振動に対しては、チャタリングの発生を第２の接触片３５の先端部３５ａが防止する。
【００４３】
このように本発明の第２実施の形態でも、電池２５をカメラ本体に形成された電池収容室３０に収容した際、電池２５の一方の外形面２５ａに沿った電極２４ａと接触する第１の接触片３４の先端部３４ａ、及び電池２５の他方の外形面２５ｂに沿った電極２４ｂと接触する第２の接触片３５の先端部３５ａを、電池収容室３０に該電池収容室３０外から挿通し、電池２５の２つの電極面にそれぞれ別個に接触するようにした。
【００４４】
従って、この第２の実施形態によっても前記第１の実施形態と同様の効果を奏することができる。
【００４５】
尚、この第２実施の形態においては、接触片は、基板３７に別個に固定するようにしたが、これに限らず、図８に示すように、電池２５の一方の外形面２５ａに沿って形成された電極２４ａに接触する円弧状の先端部７４ａが形成された第１の接触片７４Ａと、電池２５の他方の外形面２５ｂに沿って形成された電極２４ｂに接触する円弧状の先端部７４ｂが形成された第２の接触片７４Ｂとが、第１実施の形態に示したように接触片７４として一体に形成され、該接触片７４の基端部７４Ｃが基板３７に固定されていても良い。
【００４６】
また、電極２４が形成される、電池２５の一方の外形面を２５ａ、他方の外形面を２５ｂとしたが、これに限らず、隣り合う面であれば、電極２４を電池２５のどの面に形成しても良い。この場合、第１の接触片３４，第２の接触片３５は、電極２４が形成された位置に応じて、電池収容室３０内の電極２４と接触可能な位置に、電池収容室３０外の基板３７から挿通すれば良い。
【００４７】
さらに、この第２の実施形態においても、簡略のため、一方の外形面２５ａの電池挿抜方向に略直交する方向に沿って形成された３つの電極（負極２１ａ，サーミスタ用電極２２ａ，正極２３ａ）を電極２４ａ、他方の外形面２５ｂの電池挿抜方向に沿って形成された電極（負極２１ｂ，サーミスタ用電極２２ｂ，正極２３ｂ）を電極２４ｂと称し、この電極２４ａ，２４ｂに、第２実施形態においては、第１の接触片３４の先端部３４ａ，第２の接触片３５の先端部３５ａが接触するようにしたが、これも、実際は、第１の接触片３４の先端部３４ａ，第２の接触片３５の先端部３５ａは、それぞれ３個、計６つの先端部が電池収容室３０内に該電池収容室３０外の基板３７から挿通されており、３つの第１の接触片３４の先端部３４ａは、それぞれ負極２１ａ，サーミスタ用電極２２ａ，正極２３ａと接触し、３つの第２の接触片３５の先端部３５ａは、それぞれ負極２１ｂ，サーミスタ用電極２２ｂ，正極２３ｂと接触している。
【００４８】
さらに、第１の接触片３４の先端部３４ａ，第２の接触片３５の先端部３５ａは、第１の接触片３４及び第２の接触片３５に円弧状に湾曲して形成したが、これに限らず、電極２４にそれぞれ接触、付勢でき、電極２４を傷つけない形状であれば、どのような形状で、接触片のどのような位置に形成されていても構わない。
【００４９】
また、第１，第２実施の形態においては、電子機器は、デジタル一眼レフカメラを例に挙げたが、通常のデジタルカメラに用いても良いことは云うまでもない。
【００５０】
さらに、第１，第２実施の形態においては、アクセサリは、リチャージブル電池を例に挙げて説明したが、本発明はこれに限らず、電子機器に挿抜自在な接点が露出しているカード形状の記憶用メディアおよびその他の付属品などに適用しても良いことは勿論である。
【００５１】
【発明の効果】
以上、述べたように本発明によれば、アクセサリ収容室に収容したアクセサリに対して、該アクセサリの電極とのチャタリング等による接触不良を防止することができる接触電気片を有する電子機器を提供することができる。
【図面の簡単な説明】
【図１】本発明の第１の実施形態を示すリチャージブル電池との接触片を有するデジタル一眼レフカメラの本体及び同本体に挿抜可能なリチャージブル電池の斜視図、
【図２】図１中の電池収容室を抽出して示した断面図、
【図３】図２中の電池収容室に電池が収容された状態を示す断面図、
【図４】電池の電極に接触片が接触している状態を示す要部拡大斜視図
【図５】従来の電池収容室を示した断面図、
【図６】本発明の第２の実施形態を示すリチャージブル電池との接触片を有するデジタル一眼レフカメラ本体の電池収容室を示した断面図、
【図７】電池の電極に接触片が接触している状態を示す要部拡大斜視図、
【図８】本発明の第２の実施形態を示すリチャージブル電池との接触片を有するデジタル一眼レフカメラ本体の接触片の変形例を示した要部拡大斜視図。
【符号の説明】
１４…接触片
１４ａ…第１の接触部（接点）
１４ｂ…第２の接触部（接点）
２１…負極（電極，接点）
２１ａ…一方の外形面に沿った負極（電極，接点）
２１ｂ…他方の外形面に沿った負極（電極，接点）
２２…サーミスタ用電極
２２ａ…一方の外形面に沿ったサーミスタ用電極
２２ｂ…他方の外形面に沿ったサーミスタ用電極
２３…正極（電極，接点）
２３ａ…一方の外形面に沿った正極（電極，接点）
２３ｂ…他方の外形面に沿った正極（電極，接点）
２４…電極（接点）
２４ａ…一方の外形面に沿った電極（接点）
２４ｂ…他方の外形面に沿った電極（接点）
２５…リチャージブル電池（アクセサリ）
２５ａ…一方の外形面
２５ｂ…他方の外形面
３４…第１の接触片（接点）
３５…第２の接触片（接点）
６０，２００…デジタル一眼レフカメラ（電子機器）
【図１】
2005043578.tif 000003
【図２】
2005043578.tif 000004
【図３】
2005043578.tif 000005
【図４】
2005043578.tif 000006
【図５】
2005043578.tif 000007
【図６】
2005043578.tif 000008
【図７】
2005043578.tif 000009
【図８】
2005043578.tif 000010